(57)【特許請求の範囲】
【請求項１】
略円筒形状を成し且つ流水管に接続されるべき接続部を略円筒の両端部に備えたユニット本体と、このユニット本体内に配置されて出水側から入水側への流れを阻止する逆止弁と、逆止弁の出水側に開閉自在に設けられた水抜き部とを備え、前記逆止弁は、弁体と、この弁体を弁座に向けて付勢する付勢手段と、弁体を移動可能に支持する支持体とを備え、この支持体にはその周囲に流水孔が形成されており、支持体の縁部をユニット本体内に形成した段部に当接させて配置し、ユニット本体内には、段部から出水側に向けて次第に口径を狭くしたテーパを形成して弁室よりも出水側に肉厚を厚くした肉厚部が形成してあり、前記水抜き部は、肉厚部に形成された横孔とこの横孔に螺合されるねじ部とを有していることを特徴とする配管ユニット。
【請求項２】
前記ユニット本体は、逆止弁の入水側にフィルターを備えることを特徴とする請求項１に記載の配管ユニット。
【請求項３】
熱交換器に供給された水を加熱して給湯する給湯装置において、給水接続口に一端部が取り外し可能に接続された配管ユニットを備え、この配管ユニットは、請求項１又は２に記載の配管ユニットであることを特徴とする給湯装置。
【請求項４】
前記給湯装置は、一つの熱交換器に複数の水路を備えることを特徴とする請求項３に記載の給湯装置。
【請求項５】
前記給湯装置の熱交換器を通る少なくとも一方の水路は、熱交換器の下流側と上流側とを連通させて熱交換後の湯と熱交換前の給水とを混ぜるバイパス通路を備えることを特徴とする請求項４に記載の給湯装置。
【請求項６】
前記給湯装置の下端には複数の接続口が列状に配置されており、複数の接続口のうちの正面から向かって右側に請求項１又は２に記載の配管ユニットが設けてあり、且つこの配管ユニットは並んで配置されている接続口よりも突出していることを特徴とする請求項３に記載の給湯装置。
【請求項７】
給湯装置と、給湯装置に給水する給水配管と、給湯装置で加熱された湯を導出する給湯配管とを接続してなる給湯システムにおいて、前記給水配管は配管ユニットを備え、この配管ユニットは、請求項１又は２に記載の配管ユニットであることを特徴とする給湯システム。
【発明の詳細な説明】
【０００１】
【発明の属する技術分野】
本発明は、例えば、一般家庭の水管に接続される配管ユニットに関し、特に、風呂や洗面所等へ湯を供給する給湯装置用の給水配管に接続される配管ユニット、この配管ユニットを備える給湯装置及び給湯システムに関する。
【０００２】
【従来の技術】
例えば、一般家庭の風呂や洗面所等に湯を供給する給湯装置を設置する場合に、給湯装置に水を供給する給水配管や、給湯装置の湯を各所に給湯する給湯配管を接続する。かかる給湯装置は、ガスや石油等の燃焼器（以下「ガス燃焼器」とする）の燃焼により熱交換器に配置された給水管（水管）を加熱して湯を供給するものである。この給湯器の設置場所は、特に限られものではないが、アパートやマンション等の集合住宅においては、給湯器の設置スペースが限られており、例えば、浴槽が隣接する浴室の壁に設置する場合がある。そして、この給湯装置に、ガス管や給水配管、給湯配管を接続しているが、管が接続されるスペースは限られており、浴槽の設置後には管の接続箇所に手が入り難い場合がある。
【０００３】
一方、給湯器を使用しない場合、例えば、給湯装置の設置後入居までに期間がかかる場合において、冬期に給湯装置の水管に水を満たした状態のままにすると、水の凍結により水管が破損することがある。このため、冬期において給湯装置を使用しない場合には水を抜く必要があり、給湯装置の管接続部に水抜き栓を設けた構成が公知である。
【０００４】
また、実開昭５４ー８７４５６号公報には、屋内に設けた操作レバーに連動させて、水抜き弁を開き、給水弁を閉じる等の所要の弁を連動させて、屋内から水抜き操作を簡単にしようとした構成が開示されている。
【０００５】
更に、給湯装置の運転時に、熱交換器の水管の水が給水配管側へ逆流するのを防止するために、給水配管の接続部に、逆止弁を設けた構成が公知である。
【０００６】
【発明が解決しようとする課題】
しかしながら、上述したように、給湯装置の設置スペースが限られている場合には、上述の水抜き栓（水抜き部）と逆止弁とを給水配管の接続部に配置すると装置が大型化してしまうという問題点がある。
【０００７】
更に、給湯装置の設置スペースが充分に取れる場合には問題ないが、上述したように、水抜き部が手のとどかないところにある場合には、水抜き部を別途給水配管の他の部所に設けた、水抜き部の手前には弁を設ける必要がある。このため、給湯装置の設置場所に応じて水抜き部及び弁を給水配管の適当な箇所に設ける必要があり、設置状況や仕様毎に異なる位置に水抜き部と逆止弁を設ける必要があるため、給湯装置の製造が煩雑になるという問題点がある。
【０００８】
そこで、本発明の目的は、設置状況に応じて適宜必要な箇所に取付けでき、且つ簡易な構成で配管の逆流防止と水抜きができる配管ユニット、給湯装置及び給湯システムを提供することにある。
【０００９】
【課題を解決するための手段】
前記目的を達成するために、請求項１に記載の発明は、略円筒形状を成し且つ流水管に接続されるべき接続部を略円筒の両端部に備えたユニット本体と、このユニット本体内に配置されて出水側から入水側への流れを阻止する逆止弁と、逆止弁の出水側に開閉自在に設けられた水抜き部とを備え、前記逆止弁は、弁体と、この弁体を弁座に向けて付勢する付勢手段と、弁体を移動可能に支持する支持体とを備え、この支持体にはその周囲に流水孔が形成されており、支持体の縁部をユニット本体内に形成した段部に当接させて配置し、ユニット本体内には、段部から出水側に向けて次第に口径を狭くしたテーパを形成して弁室よりも出水側に肉厚を厚くした肉厚部が形成してあり、前記水抜き部は、肉厚部に形成された横孔とこの横孔に螺合されるねじ部とを有していることを特徴とするものである。
【００１０】
この請求項１に記載の発明によれば、配管ユニットが、逆止弁と水抜き部とを一体に備える構成であるから、水管（又は配水管）の適宜必要な箇所にこの配管ユニットを接続するだけで、出水側から入水側への逆流を防止できるとともに、凍結防止等のために水抜きが必要な場合には、水抜き部を開けて、出水側の水抜きができる。即ち、水抜きのために手が容易に届く場所に配管ユニットを任意に設置できるので、操作性がよい。逆流を防止する箇所は、例えば、配水管（上水管）との接続箇所であり、給湯装置から配水管への逆流を防止して、衛生面の安全を図ったり、配水管側への温水や沸騰蒸気の逆流を防止して蛇口からでる温水温度の調整を確実にするものである。
ユニット本体には、支持体が係合する段部から出水側に向けて次第に口径が狭くなるテーパを形成しているので、支持体の周囲に形成された流水孔を段部が塞いだり、邪魔することがない。従って、入水側から逆止弁を通って出水側へ流れる流体の流水抵抗を低減できる。
水抜き部は、本体に形成された横孔をねじで塞ぐ構成であり、横孔は、逆止弁の出水側に形成されるので、この出水側では口径を狭めることができ、これにより水抜き部における本体の厚みを厚くできる。従って、横孔の深さを深くとれるのでねじの螺合を確実にして水漏れを防止する。更に、逆止弁に近接して水抜き部の横孔を形成できるので、ユニット全体をコンパクトにできる。
【００１１】
請求項２に記載の発明は、請求項１に記載の発明において、前記ユニット本体は、逆止弁の入水側にフィルターを備えることを特徴とするものである。
【００１２】
この請求項２に記載の発明によれば、配管ユニットでは、フィルターを通って、逆止弁に水が流れるから、ゴミや介雑物体等が逆止弁に流れるのを阻止する。例えば、逆止弁の弁体と弁座との間にゴミ等が介在して閉鎖を阻害すること等を防止して、逆止弁の機能を阻害するのを防止する。
【００１３】
【００１４】
【００１５】
【００１６】
【００１７】
請求項３に記載の発明は、熱交換器に供給された水を加熱して給湯する給湯装置において、給水接続口に一端部が取り外し可能に接続された配管ユニットを備え、この配管ユニットは、請求項１又は２に記載の配管ユニットであることを特徴とするものである。
【００１８】
この請求項３に記載の発明によれば、給湯装置の流入管端部に配管ユニットを取り外し自在に設ける構成であるから、出荷時に配管ユニットの付け忘れを防止する。
【００１９】
また、給湯装置の設置場所が狭く、設置後には配管ユニットに手が届かない場所である場合には、配管ユニットを取り外して、流入管を接続し、流入管の他の箇所に適宜配管ユニットを接続できる。特に、設置現場で施工場所の状況に容易に対応できるので施工が容易である。
【００２０】
請求項４に記載の発明は、請求項３に記載の発明において、前記給湯装置は、一つの熱交換器に複数の水路を備えることを特徴とするものである。
【００２１】
この請求項４に記載の発明によれば、熱交換器に設けられた複数の水路のうち、一の水路を加熱する場合に、他の水路を加熱して一の水路を加熱する場合があるが、この場合に他の水路が沸騰してしまっても、流水管に配管ユニットが接続されているので、配管ユニットに配置された逆止弁により蒸気や熱い湯が逆流するのを防止する。また、かかる給湯装置内の水抜き箇所を適当な場所に設置できるので、凍結防止等のための水抜きが容易にできる。
【００２２】
請求項５に記載の発明は、請求項４に記載の発明において、前記給湯装置の熱交換器を通る水路は、熱交換器の下流側と上流側とを連通させて熱交換後の湯と熱交換前の給水とを混ぜるバイパス通路を備えることを特徴とするものである。
【００２３】
この請求項５に記載の発明によれば、熱交換後の湯と熱交換前の給水とをバイパス通路により混ぜて、給湯する湯の温度制御をするが、この給水側に配置された配管ユニットが、逆止弁を備えているので、蒸気や熱い湯が給水側に逆流するのを防止する。従って、熱交換前に熱くなった湯がバイパス通路の下流側まで逆流してしまい冷たい水に換えて熱湯や蒸気が熱交換後の湯に混ざることを防止する。従って、給湯に際して、熱すぎる湯が出るのを防止でき、給湯する湯の温度制御が確実にできる。
請求項６に記載の発明は、請求項３に記載の給湯装置において、前記給湯装置の下端には複数の接続口が列状に配置されており、複数の接続口のうちの正面から向かって右側に請求項１又は２に記載の配管ユニットが設けてあり、且つこの配管ユニットは並んで配置されている接続口よりも突出していることを特徴とするものである。
この請求項６に記載の発明によれば、配管ユニットの取外しや取付けがし易い。
【００２４】
請求項７に記載の発明は、給湯装置と、給湯装置に給水する給水配管と、給湯装置で加熱された湯を導出する給湯配管とを接続してなる給湯システムにおいて、前記給水配管は配管ユニットを備え、この配管ユニットは、請求項１又は２に記載の配管ユニットであることを特徴とするものである。
【００２５】
この請求項７に記載の発明によれば、給水配管から給湯装置に水を供給し、給湯装置に接続された給湯配管から各所に給湯する給湯システムにおいて、給水配管にユニット化した逆止弁と水抜き部とを備えているので、給湯システムに逆止弁と水抜き部とを容易に配置できる。また、給水配管において、施工場所に応じて配管ユニットを適宜接続することによって、水抜き操作の場所を任意に設定できるので、操作性及び施工性がよい。
【００２６】
【発明の実施の形態】
以下に、添付図面の図１乃至図１１R>１を参照して、本発明の実施の形態を詳細に説明する。本発明の実施の形態にかかる配管ユニット１を備えたガス給湯器（給湯装置）３は、図９に示すように、機器本体５の下端に、図中右側から配管ユニット１、給湯接続口７、ガス接続口９、排水チューブ１１、往路用風呂接続口１３、戻り用風呂接続口１５とが設けられている。配管ユニット１の上端部２１は本体５に設けられた接続口２３に螺合さており、取り外し可能に接続されている。給水ユニットの下端部１７には給水配管１９（図１１R>１参照）が螺合により接続される螺子が形成されている。
【００２７】
配管ユニット１は、ガス給湯器３の出荷時に接続されており、設置及び施工時に必要に応じて取り外しできるようになっている。このように、出荷時に接続しておくことによって、施工現場において配管ユニット１の接続忘れを防止できる。
【００２８】
次に、図１０を参照して、ガス給湯器３の構造及び配管について説明する。ガス給湯器３は、上水が供給される給湯管２５と、風呂から水を導入する追い炊き管２６とが配置された熱交換器２７を備えており、一つの熱交換器で２つの水路を加熱するいわゆる一缶２水路になっている。熱交換器２７は、バーナ３１から加熱ガスを送風する加熱部２９により加熱されている。
【００２９】
給湯管２５には、配管ユニット１から給水方向（下流側）に向かって入水サーミスタ３３、水量センサ３５が配置されており、熱交換器２７を通過した後には、流量制御弁３７、給湯確認スイッチ３９が配置されて、給湯接続口７に至っている。熱交換器２７の入口と出口側付近には、第１バイパス通路４１が形成されており、熱交換後の湯と給水される水との混合を図っている。また、流量制御弁３７の下流にも第２バイパス通路４３が形成されており、この第２バイパス通路４３はバイパス制御弁４５によりその開閉が制御されている。この第２バイパス通路４３により、出湯水の温度を制御している。
【００３０】
追い炊き配管２６は、浴槽４７からの流入側に、風呂温度センサ４９、水流スイッチ５１、ポンプ５３備えており、浴槽４７内の湯（又は水）を熱交換器２７に通して浴槽４７に戻すようになっている。
【００３１】
熱交換器２７は、上述したように、本実施の形態では、一缶２水路を有するもので、熱交換器２７に給湯と、追い炊きとの２系統の水管が設けられている。そして、ガスバーナ３１に近い下側に給湯管２５が配置され、ガスバーナ３１から遠い上側に追い炊き管２６を配置しており、これらの給湯管２５と追い炊き管２６とには共通のフィン５１が固定されている。このように給湯管２５を下側に配置することによって、給湯を行わずに追い炊きのみをする場合には、給湯管２５を加熱してその熱により追い炊き管２６を加熱する。
【００３２】
尚、給湯管２５と追い炊き管２６とは、注湯電磁弁５３、水位センサ５５を介して接続されており、給湯水を追い炊き管２６に注湯できる構成になっている。
【００３３】
一方、加熱部２９は、熱交換器１の下部に配置されており、ガスを燃焼させるガスバーナ３１、燃焼ファン５７とを備え、ガス管５９から導入されたガスに点火して熱交換器２７に高温の気体を供給する構成となっている。尚、ガスバーナ３１の下に設けられているのは、ノズルホルダー６１、切換電磁弁６３、ガス比例弁６５、主電磁弁６７であり、ガスによる燃焼状態を調節するようになっている。
【００３４】
次に、図１乃至図８を参照して、本発明にかかる配管ユニット１について説明する。尚、図１は配管ユニットの断面図、図２は配管ユニットの正面図、図３R>３はユニット本体の側面図、図４はユニット本体の断面図、図５は弁蓋の断面図、図６は弁蓋の側面図、図７は支持体の平面図、図８は支持体の側面図である。
【００３５】
配管ユニット１は、ユニット本体７１と、そのユニット本体７１内に配置される逆止弁７３、及び逆止弁７３の下流側に設けられた水抜き部７５とを一体に備えており、逆止弁７３が熱交換器側（下流側）から給水側（上流側）への逆流を防止するとともに、水抜き部７５により冬期には水抜きにより熱交換器内に配置された給湯管２５の凍結を防止する構成となっている。
【００３６】
ユニット本体７１は、その上側（一方側）７７に給湯器の接続口２３に接続される雌ねじ部（接続部）を備え、その下側（他方側）７８に逆止弁７３の弁座８０を形成するとともに逆止弁の蓋をする弁蓋８１が螺合されている。
【００３７】
この弁蓋８１には、フィルター８２が収納されており、逆止弁７３に流れるゴミや介雑物体等を除去する。これにより、逆止弁７３の弁体７９と弁座８０との間に介雑物等が介在して弁の閉鎖を阻害するのを防止して、逆止弁の機能を保持している。尚、弁蓋８１には弁座８０側にＯーリング７０が配置されている。
【００３８】
ユニット本体７１は、中央部に逆止弁７３が配置される弁室８３を備え、上側７７に出水側通路８５が形成されている。そして、出水側通路８５の径に対して弁室８３の内径が大きく形成されており、その分、出水側通路８５側の肉厚Ｈが弁室の肉厚Ｍよりも厚い肉厚になっている。この出水側通路８５の肉厚Ｈを厚く形成することによって、水抜き部７５を形成する螺子８７（後述する）のねじ込みを深くできるので、水抜き孔８７（後述する）を閉鎖する構造になっている。出水側通路８５側には、逆止弁７３の支持体８４を当接させて保持する段部７２が形成されている。この段部７２と出水側通路８５との間には、テーパ部７８が形成されている。テーパ部７８は、段部７２から出水側通路８５に向けて次第に口径を狭くしているので、支持体８４の周囲に形成された流水孔８６を段部７２が塞いだり、抵抗となったりすることがなく、入水側から逆止弁を通って出水側へ流れる流体の流水抵抗を低減できる。テーパ部７８の傾斜角度Ｓは特に制限されるものではないが、本実施の形態では９０°である。また、水抜き部７５におけるユニット本体１の肉厚を厚くして、水抜き孔８７の螺子込みを深くでき、ねじ噛合を充分にとることができるので、水抜き部７５からの水漏れを確実に防止できる。
【００３９】
逆止弁７３は、弁体７９と、この弁体７９を弁座８０に向けて付勢するスプリング（付勢手段）８８と、弁体７９を移動可能に支持する円盤状の支持体８４とを備えている。支持体８４は、図７及び図８に示すように、その周囲に水の流れを許容する流水孔８６が形成されており、この支持体の縁部８４ａをユニット本体７１内に形成した段部７２に当接させて支持するようになっている。支持体８４の中央部には弁体７９の軸７９ａを摺動させて案内する案内部８４ｂが設けられている。案内部８４ｂの外周にコイルスプリング８８が取付けられて、弁体７９を常時弁座８０に向けて付勢している。
【００４０】
水抜き部７５は、水の流れ方向について、逆止弁７３の下流側に設けられており、上述のように、ユニット本体１に横孔として形成された水抜き孔８７と、この水抜き孔８７に螺合する摘まみねじ９１とにより構成されている。水抜き孔８７はユニット本体７１の管壁に形成された横孔であるから、構成が簡易であり且つコンパクトになる。
【００４１】
次に、本実施の形態の作用について説明する。給湯運転時において、風呂の追い炊きと給湯とを同時におこなう場合、配管ユニット１を通って給湯管２５に給水された水は、熱交換器２７を通って加熱され、給湯接続口７から、洗面所や台所等の各給湯箇所に送られる。同時に、追い炊き配管２６では、循環ポンプ５３の駆動により追い炊き配管２６に風呂内の水（湯）が供給されて、熱交換器２７を通って浴槽４７に戻される。給湯管２５への給水においては、配管ユニット１内に配置された逆止弁７３が、給水側へ水が逆流するのを防止し、衛生面上の安全を図っている。
【００４２】
一方、給湯をせずに、風呂の追い炊きのみをする場合には、給湯管２５には水が供給されない状態で、熱交換器２７では、バーナー３１に近接している給湯管２５を主として加熱し、給湯管２５の熱をフィン５１により伝熱させて、追い炊き配管２６を加熱する。この場合、給湯管２５の温度制御はされているものの、給湯管２５内の水が、沸騰してしまう場合がある。給湯管２５内の沸騰により発生した蒸気は、給水側に逆流しようとするが、配管ユニット１に配置された逆止弁７３が蒸気の給水側への戻りを防止する。これにより、給水側に連通されている洗面所等の水道蛇口から蒸気がでたり、熱せられることがない。
【００４３】
即ち、逆止弁７３を設けないと、熱くなった湯が第２バイパス通路４３のバイパス制御弁（電磁弁）４５よりも下流側まで逆流し、このような状態で洗面所等の蛇口を開けて給湯した場合、第２バイパス通路４３で給水側の冷たい水を混ぜて温度制御し、熱すぎる湯が蛇口からでないようにしていたものが、バイパス制御弁４５を開けても冷たい水が混ざらずに熱交換器２７側の熱い湯を混ぜてしまい温度制御ができなくなってしまう。従って、逆止め弁７３を設けることにより、熱すぎる湯が出るのを防止でき、給湯する湯の温度制御を図ることができるものである。
【００４４】
このことは、制御弁を有さずに、固定されたバイパスである第１バイパス通路においても同様な事態が生じるもので、熱交換された温度が高い湯に給水側からの冷たい水を混ぜて温度制御された水を給湯する場合にも、逆止弁７３を設けることによって、給水側に熱い湯や蒸気が逆流しないから、熱い湯に給水側からの冷たい水を確実に混ぜることができるので、給湯する湯の温度制御を確実に行うことができる。
【００４５】
また、寒冷地において、集合住宅等にガス給湯器３を設置した後、通水試験をおこなうため、ガス給湯器３内の給湯管２５に水が残った状態になる。この状態で、居住者が入居する前の期間にはガス給湯器３を稼働しないので、給湯管２５内の水が凍ってその体積膨張により給湯管２５が破損する恐れがある。従って、かかる期間には、水抜き部７５の摘まみねじ９１を回して、水抜き孔８７から水を抜く。これにより、給湯管２５内の水の凍結による給湯管２５の破損を防止する。
【００４６】
ガス給湯器３の設置時には、図１１に示すように、浴室５において、壁と浴槽４７との間の限られたスペースに配置する場合には、上述した水抜き作業がしにくかったり、ガス給湯器３が設置されている隙間に手が入らないおそれがある。かかる場合には、図９に示すように給湯器本体５に取付けられている配管ユニット１を外して、図１１に示すように、浴槽４７の下や、浴槽４７の側面に配管されている給水配管１０２に配管ユニット１を取付ける。これにより、浴槽４７の側面等において、水抜き作業が容易にできる。この浴槽４７の側面等には、図示していないが、通常パネルが配置されているので、このパネルを外して浴槽４７の側面を露出して行うものである。尚、図１１において、９６は洗面台であり、９７は電源コンセント、９８はシャワー、９９はバスリモコン、１００は給水栓、１０１はガス栓である。
【００４７】
本発明は上述した実施例に限定されず、本発明の要旨を逸脱しない範囲で種々変形可能である。例えば、上述した実施の形態では、一つの熱交換器２７に給湯管２５と追い炊き配管２６を設けたが、これに限らず、給湯管２５と暖房用温水配管との２つの水路を配置するものや、給湯管２５と追い炊き配管２６と暖房用温水配管との３つの水路を配置するいわゆる一缶３水路等の多水路を配置するものであっても同様な効果を得ることができる。態と同様な効果を得ることができる。
【００４８】
また、配管ユニット１は、図１１に示すガス給湯器に限らず、逆流防止と水抜きと必要とする配管であれば、同様に適用することができ、しかも、現場の状況に応じて、配管ユニットを本体から取り外して必要な箇所に適宜容易に取り付けたり、あるいは、本体に取り付けたまま配管することができる。
【００４９】
【発明の効果】
請求項１に記載の発明によれば、配管ユニットが、逆止弁と水抜き部とを一体に備える構成であるから、水管の適宜必要な箇所に配管ユニットを接続するだけで、出水側から入水側への逆流を防止できるとともに、凍結防止用等の水抜きが必要な場合には、水抜き部を開けて、出水側の水抜きができる。水抜きのために手が容易に届く場所に配管ユニットを任意に設置できるので、操作性がよい。更に、逆止弁と水抜き部とを配管ユニットが一体に備える構成であるから、簡易な構成で配管の逆流防止と水抜きができる。
ユニット本体には、逆止弁の支持体を係合する段部から出水側に向けて次第に口径が狭くなるテーパを形成しているので、支持体の周囲に形成された流水孔を段部が塞いだり邪魔することを防止できる。これにより、入水側から逆止弁を通って出水側へ流れる流体の流水抵抗を低減できる。
水抜き部は、本体に形成された横孔をねじで塞ぐ構成であり、簡易な構成で水抜き部を形成することができる。更に、横孔は、本体の厚みが厚い逆止弁の出水側に形成されるので、横孔を深くできる。従ってねじの螺合を確実にして水漏れを防止できる。更に、逆止弁に近接して水抜き部の横孔を形成できるので、ユニット全体をコンパクトにできる。
【００５０】
請求項２に記載の発明によれば、配管ユニットがフィルターを備える構成であるから、ゴミや介雑物体等が逆止弁の機能を阻害するのを防止できる。
【００５１】
【００５２】
【００５３】
請求項３に記載の発明によれば、給湯装置の流入管端部に配管ユニットを取り外し自在に設ける構成であるから、出荷時に配管ユニットの付け忘れを防止できる。
【００５４】
また、必要に応じて、配管ユニットを取り外し、適宜必要な箇所に配管ユニットを接続できるので施工が容易である。
【００５５】
請求項４に記載の発明によれば、熱交換器に設けられた複数の水路のうち、一の水路を加熱して他の水路を加熱する場合に生じやすい沸騰蒸気の逆流を逆止弁により確実に防止できる。
【００５６】
請求項５に記載の発明は、給湯装置の熱交換器を通る水路は、バイパス通路により熱交換後の湯と熱交換前の給水とを混ぜる構成であり、給水側に配置された配管ユニットが、逆止弁を備えているので、蒸気や熱い湯が給水側に逆流するのを防止する。従って、熱交換前に熱くなった湯がバイパス通路の下流側まで逆流してしまい冷たい水に換えて熱湯や蒸気が熱交換後の湯に混ざることを防止する。従って、給湯に際して、熱すぎる湯が出るのを防止でき、給湯する湯の温度制御が確実にできる。
請求項６に記載の発明は、前記給湯装置には複数の接続口が列状に配置されており、複数の接続口のうちの正面から向かって右側に請求項１又は２に記載の配管ユニットが設けてあり、且つこの配管ユニットは並んで配置されている接続口よりも突出しているので、配管ユニットの取外しや取付けがし易い。
【００５７】
請求項７記載の発明によれば、給水配管から給湯装置に水を供給し、給湯装置から各所に給湯する給湯システムにおいて、給水配管にユニット化した逆止弁と水抜きとを備えているので、給湯シムテムの配管が容易にできる。また、給水配管には、施工場所に応じて配管ユニットを適宜必要な箇所に接続することによって、水抜き操作の場所を任意に設定できるので、操作性及び施工性がよい。
【００５８】
【図面の簡単な説明】
【図１】本発明の実施の形態にかかる配管ユニットの断面図である。
【図２】図１に示す配管ユニットの正面図である。
【図３】ユニット本体の側面図である。
【図４】ユニット本体の断面図である。
【図５】弁蓋の断面図である。
【図６】弁蓋の側面図である。
【図７】支持体の平面図である。
【図８】支持体の側面図である。
【図９】ガス給湯器の正面図である。
【図１０】ガス給湯器の回路図である。
【図１１】給湯システムを示す斜視図である。
【符号の説明】
１ 配管ユニット
３ ガス給湯器（給湯装置）
７１ ユニット本体
７３ 逆止弁
７５ 水抜き部
７９ 弁体
８１ 弁蓋
７８ テーパ
８７ 水抜き孔（横孔）
【図１】
0003725652.tif 000002
【図２】
0003725652.tif 000003
【図３】
0003725652.tif 000004
【図４】
0003725652.tif 000005
【図５】
0003725652.tif 000006
【図６】
0003725652.tif 000007
【図７】
0003725652.tif 000008
【図８】
0003725652.tif 000009
【図９】
0003725652.tif 000010
【図１０】
0003725652.tif 000011
【図１１】
0003725652.tif 000012